(57)【要約】【課題】  書類等の挿入を容易に行うことができ、また、クリアブック等に適用したときに、全体の厚みを抑制することができるポケット状ファイル用具を提供する。【解決手段】  上端に開口部を備えた有底袋状をなす扁平なポケット状ファイル用具。このファイル用具は、ポケット１０を形成する表裏シート２０，２１の開口部１３に沿って第１及び第２の切欠部２０，２１を備える。第１の切欠部２０は第２の切欠部２１の切欠面積よりも大きく設けられており、第２の切欠部２１は、少なくとも一部が第１の切欠部２０の領域内に位置するように設けられている。ポケット１０内に収容された用紙Ｐは、その端縁側部分が第１及び第２の切欠部２０，２１に表出する深さに設けられている。【選択図】          図１
2006247848.tif 000002
【特許請求の範囲】
【請求項１】
開口部を備えたポケット状ファイル用具において、
前記ポケットを形成する表裏シートの開口部形成縁に沿って切欠部がそれぞれ形成され、これら切欠部は、一方の切欠部の少なくとも一部が他方の切欠部の領域内に位置するように切欠面積が相違することを特徴とするポケット状ファイル用具。
【請求項２】
開口部を備えたポケット状ファイル用具において、
前記ポケットを形成する表裏シートの開口部形成縁に沿って切欠部がそれぞれ形成され、これら切欠部は切欠面積が略同一に設けられているとともに、一部が重なり合う位置に設けられていることを特徴とするポケット状ファイル用具。
【請求項３】
開口部を備えているとともに、特定規格寸法の用紙に略対応する深さを備えたポケット状ファイル用具において、
前記ポケットを形成する表裏シートの開口部形成縁に沿って切欠部がそれぞれ形成され、これら切欠部は切欠面積が大小に相違する第１の切欠部と第２の切欠部とからなり、第１及び第２の切欠部は、前記用紙の端縁側部分が各切欠部の領域内に表出する切欠深さを備えていることを特徴とするポケット状ファイル用具。
【請求項４】
前記第２の切欠部の領域内に表出する用紙面積は、少なくとも４mm2以上に保たれることを特徴とする請求項２記載のポケット状ファイル用具。
【請求項５】
一方の切欠部の切欠幅と、他方の切欠部の切欠幅が相違することを特徴とする請求項１ないし４の何れかに記載のポケット状ファイル用具。
【請求項６】
一方の切欠部の深さと、他方の切欠部の深さが相違することを特徴とする請求項１ないし５の何れかに記載のポケット状ファイル用具。
【請求項７】
切欠幅が狭い切欠部の深さは、切欠幅が広い切欠部の深さよりも深いことを特徴とする請求項５記載のポケット状ファイル用具。
【発明の詳細な説明】
【技術分野】
【０００１】
本発明はポケット状ファイル用具に係り、更に詳しくは、中紙若しくは台紙がポケット内に収納されていなくても、用紙の出し入れを容易に行うことのできるポケット状ファイル用具に関する。
【背景技術】
【０００２】
公知のクリアブック等は、表紙体と、当該表紙体に綴じ込まれた多数の有底袋状をなす扁平なポケットとにより構成されている。このポケットは、透明なシートにより構成されており、上端に形成された開口部を通じて書類、カタログ等の用紙を出し入れでき、これにより、収容された用紙をポケットから取り出すことなく外側から閲覧できるようになっている。
【０００３】
前記ポケットは、非常に薄い樹脂シートを用いて形成されている。そこで、公知のポケットの中には、書類等を収容する際の挿入を容易に行えるようにするため、開口部の形成縁に沿って緩やかな円弧状をなす凹状の切欠部を形成するとともに、ポケット内に中紙若しくは台紙を収容する構成を採用したものが存在する（例えば、特許文献１参照）。
【特許文献１】特開２００１−２６１９１号公報
【発明の開示】
【発明が解決しようとする課題】
【０００４】
しかしながら、特許文献１に記載されたポケットは、収容された中紙の上端部分が切欠部内に表出し、当該表出した領域を書類等の挿入案内面として利用する構成となっている。従って、クリアブック全体の厚さを抑制すべく、中紙省略タイプとした場合には、収容された書類等の抜き出しは支障なく行えるものの、書類等を収容する際には、挿入案内面が存在しないこととなり、収容作業をスムースに行えない、という不都合を招来する。
【０００５】
［発明の目的］
ここに、本発明の目的は、中紙を省略しても、書類、カタログ等の用紙の挿入を容易に行うことができ、また、クリアブック等を構成する表紙体に綴じ込んだ際の厚みを抑制することに適合するポケット状ファイル用具を提供することにある。
【課題を解決するための手段】
【０００６】
前記目的を達成するため、本発明は、開口部を備えたポケット状ファイル用具において、
前記ポケットを形成する表裏シートの開口部形成縁に沿って切欠部がそれぞれ形成され、これら切欠部は、一方の切欠部の少なくとも一部が他方の切欠部の領域内に位置するように切欠面積が相違する、という構成を採っている。
【０００７】
また、本発明は、開口部を備えたポケット状ファイル用具において、
前記ポケットを形成する表裏シートの開口部形成縁に沿って切欠部がそれぞれ形成され、これら切欠部は切欠面積が略同一に設けられているとともに、一部が重なり合う位置に設けられる、という構成を採ることもできる。
【０００８】
更に、本発明は、開口部を備えているとともに、特定規格寸法の用紙に略対応する深さを備えたポケット状ファイル用具において、
前記ポケットを形成する表裏シートの開口部形成縁に沿って切欠部がそれぞれ形成され、これら切欠部は切欠面積が大小に相違する第１の切欠部と第２の切欠部とからなり、第１及び第２の切欠部は、前記用紙の端縁側部分が各切欠部の領域内に表出する切欠深さを備える、という構成を採っている。
【０００９】
本発明において、前記小寸切欠部の領域内に表出する用紙面積は、少なくとも４mm2以上に保たれるように設けることが好ましい。
【００１０】
また、本発明は、一方の切欠部の切欠幅と、他方の切欠部の切欠幅が相違する構成を採ることができる。
【００１１】
更に、一方の切欠部の深さと、他方の切欠部の深さが相違する構成も採用することができる。
【００１２】
また、切欠幅が狭い切欠部の深さを、切欠幅が広い切欠部の深さよりも深く設ける構成とすることもできる。
【発明の効果】
【００１３】
本発明によれば、一方の切欠部が他方の切欠部の領域内に位置するように切欠面積が相違しているため、切欠面積の小さい切欠部を有する側のシート上端内面部分が、切欠面積の大きい切欠部の領域内に表出することとなる。すなわち、小さい切欠部の外周側内面領域を挿入案内面として利用できるようになる。そのため、中紙の存在がなくても支障なく用紙を収容することができる。しかも、大小の切欠部を形成したことで、切欠面積の大きい切欠部の形成縁を摘み易い構造となり、開口部を大きく開く必要が生じた際の指先挿入も容易に行うことが可能となる。
【００１４】
また、切欠部の平面形状を相違させることによって切欠面積を相違させることができるので、構成を簡易なものとすることができる。
【００１５】
また、本発明は、ポケット内に特定規格寸法の用紙を収容したときに、当該用紙の端縁側部分が各切欠部の領域内に表出する切欠深さに設けられているため、一方の切欠部を小さい切欠面積としても、収容された用紙の抜き出しを行う摘み代を表裏に確保することができる。
【００１６】
更に、前記第２の切欠部の領域内に表出する用紙面積が少なくとも４mm2以上に保たれる構成としたことで、収容された書類の端縁を指先若しくは爪先で摘むことができる。なお、４mm2未満では、収容された用紙を摘み出す際に、指先若しくは爪先で摘む領域が小さくなり過ぎて好ましくない。
【００１７】
また、切欠幅を相違させる構成、切欠深さを相違させる構成により、簡易な構成によって切欠面積を相違させることができる。
【００１８】
更に、切欠幅の狭い切欠部の深さが相対的に大きく設定される構成により、書類等を挿入する際の案内面として利用可能な領域を表裏何れの側にも表出させることが可能となる。
【００１９】
なお、本発明において、ポケット状ファイル用具とは、表紙体や綴じ具を介して多数綴じ込まれて捲り操作できるように利用できる他、ファイリング手段の有無に限らず、それ自体が単体で書類等を収容して利用する場合に用いられるものである。また、ポケットとは、一端を開口部とする有底袋状に限らず、直交する二縁が連続して開口部とされたホルダ型も含む。
【発明を実施するための最良の形態】
【００２０】
以下、本発明の好ましい実施形態を図面を参照しながら説明する。
【００２１】
図１には、本実施形態に係るポケット状ファイル用具を構成するポケットの概略正面図が示され、図２には、そのＡ−Ａ線矢視拡大断面図が示されている。これらの図において、ポケット１０は透明な樹脂シートフィルムによって形成されている。同ポケット１０は、略長方形の平面形状をなす表シート１１と裏シート１２（図２参照）とを備え、それらの左右両側部及び底部が封止されて上端を開口部１３とする扁平な有底袋状に形成されている。このポケット１０は、特定規格寸法、本実施形態では、例えば、Ａ４サイズの用紙Ｐの収容に適合するように、当該用紙Ｐの左右幅寸法と高さ寸法よりも僅かに大きい外形に設定されている。
【００２２】
前記表シート１１及び裏シート１２において、開口部１３の形成縁、すなわち、図１中上端縁には、略円弧状の軌跡に沿って凹状をなす第１の切欠部２０及び第２の切欠部２１が、それらの左右幅方向中心が略一致する状態で形成されている。第１の切欠部２０と第２の切欠部２１は、切欠面積が大小となるように相違して形成されている。具体的には、第１の切欠部２０は、前記開口部１３の形成縁に沿う切欠幅となる長さと、深さが第２の切欠部２１の切欠幅となる長さと、深さよりも大きく設けられている。これら第１及び第２の切欠部２０，２１は、用紙Ｐをポケット１０内に収容したときに、当該用紙Ｐの端縁側部分を表出させることができる深さに設定されている。ここで、第２の切欠部２１は、用紙Ｐの端縁側部分（図３中網点部分）が４mm2以上の面積をもって表出する切欠幅と深さに設けられている。
【００２３】
以上の構成において、用紙Ｐをポケット１０内に挿入するときは、第１の切欠部２０内に存在する裏シート１２の内面側を挿入案内面として利用し、用紙Ｐのコーナー部を当該挿入案内面上で滑らせるようにして差し込めばよい。
ポケット１０内に収容された用紙Ｐを抜き出すときは、第１の切欠部２０内に表出している領域を指先で押圧しながら上方に滑らすように移動したり、或いは、第１の切欠部２０及び第２の切欠部２１が重なり合う領域を表裏から指先で挟むようにして用紙Ｐの端縁部分を表裏両面側から摘んで抜き出すことでもよい。
【００２４】
従って、このような実施形態によれば、ポケット１０内に中紙若しくは台紙を収容しない状態であっても、挿入案内面が裏シート１２の上端部内面側領域によって形成されることとなり、最小厚みにて用紙Ｐを収容することができる、という効果を得る
従って、表紙体にポケットを多数綴じ込んでクリアブックを製造したときに、中紙の全枚数に応じた分だけ厚みを抑制することが可能となり、綴じ込み側に比べて自由端側が大きく膨らんでしまうような虞を低減することができる。
【００２５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、大きさ、形状、位置、その他の詳細な構成において、当業者が様々な変形を加えることができるものである。
従って、上記に開示した大きさ、形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、前記実施形態では、第１の切欠部２０の領域内に第１の切欠部２１の全体が収まる状態とされているが、図４に示されるように、第２の切欠部２１の切欠深さを第１の切欠部２０の切欠深さよりも大きく設定し、第２の切欠部２１の一部が第１の切欠部２０の領域内に位置するように設けてもよい。
また、第２の切欠部２１は、第１の切欠部２０の左右幅方向中央に限らず、当該幅方向一端側にシフトした位置に設け、各切欠部２０，２１の位置が部分的に重なり合うように設けることでもよい。
要するに、本発明は、中紙を用いることなく、表裏のシート１１，１２の一部を利用して挿入案内面が形成できる切欠部であれば足りる。従って、切欠部の形状は、図示構成例に限定されることなく種々の形状を採用することができる。
【００２７】
更に、図５に示されるように、第１の切欠部２０と、第２の切欠部２１の切欠面積を略同一とし、開口部１３の左右幅方向略中央部にて、各切欠部２０，２１の一部領域が相互に重なり合うように構成してもよく、これによっても、前記実施形態と同様の作用、効果を奏することができる。なお、第１及び第２の切欠部２０，２１は、切欠面積が略同一で切欠形状が異なっていてもよい。
【００２８】
また、前記実施例では、Ａ４サイズの用紙Ｐを特定規格寸法としたが、本発明はこれに限定されるものではなく、Ｂ５サイズ等、その他の特定規格寸法をも含む。この場合には、ポケット１０の平面サイズを用紙サイズに応じて変更すればよい。
【図面の簡単な説明】
【００２９】
【図１】本実施形態に係るポケットを表シート側から見た概略正面図。
【図２】図１のＡ−Ａ線に沿う矢視拡大断面図。
【図３】前記ポケットを裏シート側から見た概略背面図。
【図４】（Ａ）は変形例を示す図１と同様の概略正面図、（Ｂ）は同（Ａ）のＢ−Ｂ線に沿う矢視拡大断面図。
【図５】更に他の変形例を示す図１と同様の概略正面図。
【符号の説明】
【００３０】
１０  ポケット（ポケット状ファイル用具）
１１  表シート
１２  裏シート
１３  開口部
２０  第１の切欠部
２１  第２の切欠部
Ｐ  用紙
【図１】
2006247848.tif 000003
【図２】
2006247848.tif 000004
【図３】
2006247848.tif 000005
【図４】
2006247848.tif 000006
【図５】
2006247848.tif 000007